(57)【特許請求の範囲】
【請求項１】
ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ現用回線用及び予備回線用の伝送処理装置を含み、対向装置において現用回線で回線障害を検出した場合に予備回線用の伝送処理装置から現用回線用の伝送処理装置に回線切替え信号をＡＰＳ（Ａｕｔｏｍａｔｉｃ  Ｐｒｏｔｅｃｔｉｏｎ  Ｓｗｉｔｃｈｉｎｇ）バイトで通知する伝送処理システムであって、
前記現用回線用の伝送処理装置が障害または故障の場合に当該現用回線用の伝送処理装置に代わってＡＰＳ機能による回線切替えを行うＡＰＳ制御装置を有することを特徴とする伝送処理システム。
【請求項２】
前記ＡＰＳ制御装置は、前記現用回線用の伝送処理装置が障害または故障で前記予備回線用の伝送処理装置に応答を返すことができない場合、または前記現用回線用の伝送処理装置が回線切替えを処理できない場合に前記ＡＰＳ機能による回線切替えを行うことを特徴とする請求項１記載の伝送処理システム。
【請求項３】
前記ＡＰＳ制御装置は、前記予備回線用の伝送処理装置からの回線切替え信号を受信した場合に前記現用回線用の伝送処理装置に装置状態確認信号を送信して当該現用回線用の伝送処理装置における障害または故障の有無を確認することを特徴とする請求項２記載の伝送処理システム。
【請求項４】
前記現用回線用の伝送処理装置は、前記障害または故障によりスイッチ部に回線スイッチ切替え信号を送信することができない場合、前記装置状態確認信号に対する応答信号により前記障害または故障を前記ＡＰＳ制御装置に通知することを特徴とする請求項３記載の伝送処理システム。
【請求項５】
前記ＡＰＳ制御装置は、前記装置状態確認信号に対する応答信号のタイムアウトを検出した場合に前記現用回線用の伝送処理装置に前記障害または故障があると判断して前記ＡＰＳ機能による回線切替えを行うことを特徴とする請求項３記載の伝送処理システム。
【請求項６】
前記ＡＰＳ制御装置を現用系及び予備系の二重化構成としたことを特徴とする請求項２から請求項５のいずれか記載の伝送処理システム。
【請求項７】
ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ現用回線用及び予備回線用の伝送処理装置を含み、対向装置において現用回線で回線障害を検出した場合に予備回線用の伝送処理装置から現用回線用の伝送処理装置に回線切替え信号をＡＰＳ（Ａｕｔｏｍａｔｉｃ  Ｐｒｏｔｅｃｔｉｏｎ  Ｓｗｉｔｃｈｉｎｇ）バイトで通知する伝送処理システムに用いる回線切替え方法であって、
前記伝送処理システムに、前記現用回線用の伝送処理装置が障害または故障の場合に当該現用回線用の伝送処理装置に代わってＡＰＳ機能による回線切替えを行うＡＰＳ制御装置を配設したことを特徴とする回線切替え方法。
【発明の詳細な説明】
【技術分野】
【０００１】
本発明は伝送処理システム及びそれに用いる回線切替え方法に関し、特にＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ伝送処理装置を含む伝送処理システムに関する。
【背景技術】
【０００２】
近年、伝送処理装置は、伝送信号のトラフィック量増加に対応するため、高速な伝送帯域の回線インタフェースであるＳＯＮＥＴ／ＳＤＨインタフェースを持つものが増えている。この場合、ＳＯＮＥＴ／ＳＤＨインタフェースを有する伝送処理装置では、ＳＯＮＥＴ／ＳＤＨ網と接続している回線の信頼性、運用性の向上のためにＡＰＳ（Ａｕｔｏｍａｔｉｃ  Ｐｒｏｔｅｃｔｉｏｎ  Ｓｗｉｔｃｈｉｎｇ）による回線切替えを行っている。
【０００３】
また、更なるトラフィック量の増加に対応するため、伝送処理を行う伝送処理装置をシステム内に複数台搭載することで伝送処理能力を向上している伝送処理システムもある。
【０００４】
伝送処理装置を複数台搭載している伝送処理システムにおいてＡＰＳ機能を実現する場合、２台の伝送処理装置を１セットとするＡＰＳ１＋１構成において、１台を現用回線用、もう１台を予備回線用の伝送処理装置として使用することで、現用回線に障害発生した場合に予備回線への回線切替えを行っている。このシステムとしては、例えば、ＡＴＣＡ（Ａｄｖａｎｃｅｄ  ｔｅｌｅｃｏｍ  ｃｏｍｐｕｔｉｎｇ  ａｒｃｈｉｔｅｃｔｕｒｅ）規格に準拠した伝送処理ブレードを複数枚搭載し、２枚の伝送処理ブレードを１セットとしてＡＰＳ１＋１機能を有する伝送処理システムがある。
【０００５】
本発明に関連する伝送処理装置を複数台搭載している伝送処理システムの２台の伝送処理装置を１セットとするＡＰＳ１＋１構成において、ＡＰＳ機能により回線切替えを行う処理動作について図６を参照して説明する。
【０００６】
本発明に関連する伝送処理システム６は、現用回線用の伝送処理装置ａ６１と、予備回線用の伝送処理装置ｂ６２と、伝送信号を現用回線３と予備回線４とに切替えるスイッチ部６３とから構成されている。伝送処理システム６の対向側に伝送処理装置２が存在しているが、伝送処理装置２は、装置内に、現用回線用の伝送回路ａ２１と、予備回線用の伝送回路ｂ２２と、伝送信号を現用回線３と予備回線４とに切替えるスイッチ部２３とを有している。
【０００７】
伝送処理装置２の伝送回路ａ２１は、現用回線３の障害を検出すると、回線障害を伝送回路ｂ２２に通知する。回線障害の通知を受けた伝送回路ｂ２２は、ＳＯＮＥＴ／ＳＤＨフレームのＡＰＳバイト（Ｋ１バイト、Ｋ２バイト）を用いて回線切替え信号を予備回線４経由で伝送処理システム６に送信する。
【０００８】
伝送処理システム６の伝送処理装置ｂ６２は、受信したＡＰＳバイトを解析し、伝送処理装置ａ６１に回線切替え信号を送信する。回線切替え信号を受信した伝送処理装置ａ６１は、回線切替え信号で通知された切替え対象回線と現在の現用回線３とが同じであることを確認し、スイッチ部６３に回線スイッチ切替え信号を送信する。
【０００９】
スイッチ部６３は、予備回線用の伝送処理装置ｂ６２から伝送信号を受信するようスイッチを切替える。スイッチ部６３のスイッチ切替えが完了したら、スイッチ部６３は、伝送処理装置ｂ６２に回線切替えが完了したことを通知する。伝送処理装置ｂ６２は、回線切替えが完了した現用回線３を示すＡＰＳバイトを伝送処理装置２の伝送回路ｂ２２に送信する。
【００１０】
伝送処理装置２の伝送回路ｂ２２は、伝送処理装置ｂ６２から送信されたＡＰＳバイトを受信すると、そのＡＰＳバイトを解析し、伝送処理システム６で切替え完了した回線を抽出して伝送回路ａ２１に通知する。伝送回路ａ２１は、回線障害を検出した現用回線３と切替え完了した回線とが同じであることを確認し、スイッチ部２３に回線スイッチ切替え信号を送信する。スイッチ部２３は、予備回線用の伝送回路ｂ２２からの伝送信号を受信するようスイッチを切替える。
【００１１】
また、下記の特許文献１では、図６の伝送処理装置２のように装置内にＳＯＮＥＴ／ＳＤＨインタフェースを持つ現用回線用の回路と予備回線用の回路とを持つ装置において、対向装置が検出した回線障害をＡＰＳバイトにより予備回線経由で予備回線用の回路に通知された時、予備回線用の回路から現用回線用の回路に回線切替え信号を通知する。しかしながら、現用回線用の回路が故障した場合は、装置内に存在する他の処理部によって回線切替えを実施している。
【先行技術文献】
【特許文献】
【００１２】
【特許文献１】特開２００８−００４９９３号公報
【発明の概要】
【発明が解決しようとする課題】
【００１３】
上述した伝送処理システムでは、ＡＰＳ１＋１機能を有する伝送処理システム６の２台の伝送処理装置による回線切替えと、特許文献１に示すＡＰＳ機能とによる回線切替えにおいて、次のような課題がある。
【００１４】
第１の課題は、ＡＰＳバイトで通知された回線切替え信号を予備回線用の伝送処理装置ｂ６２から現用回線用の伝送処理装置ａ６１に通知する時、現用回線用の伝送処理装置ａ６１自身が障害または故障していて伝送処理装置ｂ６２からの回線切替え信号を受信できない場合、ＡＰＳ機能による回線切替えを行うことができないことである。
【００１５】
第２の課題は、伝送処理装置ａ６１が伝送処理装置ｂ６２からの回線切替え信号を受信できたとしても、障害または故障により、スイッチ部６３に回線スイッチ切替え信号を送信することができない場合、ＡＰＳ機能による回線切替えを行うことができないことである。
【００１６】
第３の課題は、特許文献１に示すように、ＡＰＳバイトにより通知された回線切替えを現用回線用の回路が故障した場合に装置内に存在する他の処理部が代わりに回線切替え処理する装置において、他の処理部の故障や装置の電源故障により装置自体が動作できない場合にＡＰＳ機能による回線切替えを行うことができないことである。
【００１７】
すなわち、ＳＯＮＥＴ／ＳＤＨインタフェースを有する伝送処理装置としては、伝送処理装置を複数台搭載することで伝送処理能力を向上する伝送処理システムがある。この伝送処理システムに搭載されている２台の伝送処理装置を１セットとしたＡＰＳ１＋１を構成する際、１台を現用回線用、もう１台を予備回線用として使用する。その際、ＳＯＮＥＴ／ＳＤＨ網の現用回線で障害が発生して予備回線に回線切替えを行う場合は、予備回線用の伝送処理装置にＡＰＳバイトで通知された回線切替え信号を予備回線用の伝送処理装置から現用回線用の伝送処理装置に通知することにより回線切替えを行っている。
【００１８】
しかしながら、現用回線用の伝送処理装置が障害または故障した場合は、予備回線用の伝送処理装置からＡＰＳバイトにて通知された回線切替え信号を処理することができないため、回線切替えを行うことができないという問題がある。
【００１９】
そこで、本発明の目的は上記の問題点を解消し、現用回線用の伝送処理装置が障害または故障によりスイッチ部に回線スイッチ切替え信号を送信することができない場合でも、回線切替えを行うことができる伝送処理システム及びそれに用いる回線切替え方法を提供することにある。
【課題を解決するための手段】
【００２０】
本発明による伝送処理システムは、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ現用回線用及び予備回線用の伝送処理装置を含み、対向装置において現用回線で回線障害を検出した場合に予備回線用の伝送処理装置から現用回線用の伝送処理装置に回線切替え信号をＡＰＳ（Ａｕｔｏｍａｔｉｃ  Ｐｒｏｔｅｃｔｉｏｎ  Ｓｗｉｔｃｈｉｎｇ）バイトで通知する伝送処理システムであって、
前記現用回線用の伝送処理装置が障害または故障の場合に当該現用回線用の伝送処理装置に代わってＡＰＳ機能による回線切替えを行うＡＰＳ制御装置を備えている。
【００２１】
本発明による回線切替え方法は、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ現用回線用及び予備回線用の伝送処理装置を含み、対向装置において現用回線で回線障害を検出した場合に予備回線用の伝送処理装置から現用回線用の伝送処理装置に回線切替え信号をＡＰＳ（Ａｕｔｏｍａｔｉｃ  Ｐｒｏｔｅｃｔｉｏｎ  Ｓｗｉｔｃｈｉｎｇ）バイトで通知する伝送処理システムに用いる回線切替え方法であって、
前記伝送処理システムに、前記現用回線用の伝送処理装置が障害または故障の場合に当該現用回線用の伝送処理装置に代わってＡＰＳ機能による回線切替えを行うＡＰＳ制御装置を配設している。
【発明の効果】
【００２２】
本発明は、上記のような構成及び動作とすることで、現用回線用の伝送処理装置が障害または故障によりスイッチ部に回線スイッチ切替え信号を送信することができない場合でも、回線切替えを行うことができるという効果が得られる。
【図面の簡単な説明】
【００２３】
【図１】本発明の第１の実施の形態による伝送処理システムの構成例を示すブロック図である。
【図２】本発明の第１の実施の形態による伝送処理システム１の動作を示すシーケンスチャートである。
【図３】本発明の第２の実施の形態による伝送処理システムの構成例を示すブロック図である。
【図４】本発明の第２の実施の形態による伝送処理システム１の動作を示すシーケンスチャートである。
【図５】本発明の第２の実施の形態による伝送処理システム１の動作を示すシーケンスチャートである。
【図６】本発明に関連する伝送処理システムの構成例を示すブロック図である。
【発明を実施するための形態】
【００２４】
次に、本発明の実施の形態について図面を参照して説明する。まず、本発明による伝送処理システムの概要について説明する。本発明による伝送処理システムでは、予備回線用の伝送処理装置から現用回線用の伝送処理装置にＡＰＳ（Ａｕｔｏｍａｔｉｃ  Ｐｒｏｔｅｃｔｉｏｎ  Ｓｗｉｔｃｈｉｎｇ）バイトで通知する回線切替え信号と同じ情報を、伝送処理システム内に存在する伝送処理装置とは別装置であるＡＰＳ制御装置に通知することにより、現用回線用の伝送処理装置が障害または故障で応答を返すことができない場合、または現用回線用の伝送処理装置が回線切替えを処理できない場合、ＡＰＳ制御装置が現用回線用の伝送処理装置に代わってＡＰＳ機能による回線切替えを行っている。
【００２５】
本発明による伝送処理システムは、予備回線用の伝送処理装置から現用回線用の伝送処理装置に通知される回線切替え信号と同じ情報をＡＰＳ制御装置に通知する。これによって、現用回線用の伝送処理装置が障害または故障によりＡＰＳバイトで通知される回線切替え信号に応答を返すことができない場合、現用回線用の伝送処理装置に代わりＡＰＳ制御装置がＡＰＳバイトで通知される回線切替え信号を処理して回線切替えを行うことを特徴とする。
【００２６】
図１は本発明の第１の実施の形態による伝送処理システムの構成例を示すブロック図である。図１において、伝送処理システム１は、伝送処理装置ａ１１と、伝送処理装置ｂ１２と、スイッチ部１３と、ＡＰＳ制御装置１４とから構成されている。また、伝送処理装置２は、伝送回路ａ２１と、伝送回路ｂ２２と、スイッチ部２３とから構成されている。
【００２７】
伝送処理システム１の伝送処理装置ａ１１は、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）網の伝送処理装置２と、現用回線３を使用して伝送信号を送受信している。
【００２８】
現用回線３で回線障害を検出した伝送処理装置２は、伝送回路ｂ２２から予備回線４を経由してＳＯＮＥＴ／ＳＤＨフレームのＡＰＳバイト（Ｋ１バイト、Ｋ２バイト）を用いて回線切替え信号を送信する。
【００２９】
ＡＰＳバイトを受信した伝送処理システム１の伝送処理装置ｂ１２は、ＡＰＳバイトを解析して、伝送処理装置ａ１１とＡＰＳ制御装置１４とに回線切替え信号を送信する。
【００３０】
回線切替え信号を受信したＡＰＳ制御装置１４は、伝送処理装置ａ１１に装置状態確認信号を送信する。装置状態確認信号を受信した伝送処理装置ａ１１は、自装置の状態を確認して、装置障害または装置故障がある場合、障害または故障であることを装置状態応答信号でＡＰＳ制御装置１４に送信する。
【００３１】
装置状態応答信号で伝送処理装置ａ１１が故障していることを確認したＡＰＳ制御装置１４は、伝送処理装置ａ１１に代わって伝送処理装置ｂ１２から通知された切替え対象回線と現在の現用回線３とが同じであることを確認し、スイッチ部１３に回線スイッチ切替え信号を送信する。
【００３２】
回線スイッチ切替え信号を受信したスイッチ部１３は、予備回線用の伝送処理装置ｂ１２から伝送信号を受信するようスイッチを切替え、伝送処理装置ｂ１２に回線スイッチ切替え完了信号を送信する。伝送処理装置ｂ１２は、回線切替えが完了した現用回線３を示すＡＰＳバイトを伝送処理装置２の伝送回路ｂ２２に送信する。
【００３３】
伝送回路ｂ２２は、伝送処理装置ｂ１２から受信したＡＰＳバイト（Ｋ１バイト、Ｋ２バイト）を解析し、伝送処理システム１で切替え完了した回線を伝送回路ａ２１に通知する。伝送回路ａ２１は、回線障害を検出した現用回線３と伝送処理システム１で切替え完了した回線とが同じであることを確認し、スイッチ部２３に回線スイッチ切替え信号を送信する。スイッチ部２３は、予備回線用の伝送回路ｂ２２からの伝送信号を受信するようスイッチを切替える。
【００３４】
したがって、伝送処理システム１は、伝送処理装置ａ１１が障害または故障していても、ＡＰＳ制御装置１４が伝送処理装置ａ１１に代わって回線切替え処理を行うことにより、回線切替えを行うことができる。
【００３５】
図２は本発明の第１の実施の形態による伝送処理システム１の動作を示すシーケンスチャートである。これら図１及び図２を参照して本発明の第１の実施の形態による伝送処理システム１の動作について説明する。
【００３６】
ここでは、伝送処理装置２が現用回線３で回線障害を検出後に伝送回路ｂ２２から予備回線４を経由してＳＯＮＥＴ／ＳＤＨフレームのＡＰＳバイト（Ｋ１バイト、Ｋ２バイト）を用いて送信している。また、この送信された回線切替え信号を伝送処理システム１の伝送処理装置ｂ１２が受信した時から、伝送処理システム１で回線切替えが完了したことを伝送処理装置ｂ１２より予備回線４を経由してＡＰＳバイト（Ｋ１バイト、Ｋ２バイト）を用いて伝送処理装置２の伝送回路ｂ２２に送信する。以下、この一連の動作について説明する。伝送処理装置２側の動作については説明を省略する。
【００３７】
まず、伝送処理システム１の伝送処理装置ｂ１２は、予備回線４を経由してＳＯＮＥＴ／ＳＤＨフレームのＡＰＳバイト（Ｋ１バイト、Ｋ２バイト）をすると、回線切替え要求を示す回線切替え信号を受信したかの判定を行う（図２のＳ１）。
【００３８】
伝送処理装置ｂ１２は、判定の結果、回線切替え要求を検出しなかった場合、ＡＳＰバイトの受信待ち状態に遷移する。また、伝送処理装置ｂ１２は、回線切替え要求を検出した場合、伝送処理装置ａ１１とＡＰＳ制御装置１４とに回線切替え信号を送信する（図２のＳ２）。
【００３９】
回線切替え信号を受信したＡＰＳ制御装置１４は、ＡＰＳ制御を開始し（図２のＳ３）、伝送処理装置ａ１１に装置状態確認信号を送信する（図２のＳ４）。伝送処理装置ａ１１は、装置状態確認信号を受信した場合、自装置状態を確認して、装置障害または装置故障がある場合、障害または故障を装置状態応答信号でＡＰＳ制御装置１４に通知し、自装置状態が正常である場合、正常を装置状態応答信号でＡＰＳ制御装置１４に通知する（図２のＳ５）。
【００４０】
装置状態応答信号を受信したＡＰＳ制御装置１４は、伝送処理装置ａ１１が障害、故障しているかの判定を行う（図２のＳ６）。ＡＰＳ制御装置１４は、伝送処理装置ａ１１が正常と判定した場合、ＡＰＳ制御による回線切替えを停止する（図２のＳ７）。
【００４１】
ＡＰＳ制御装置１４は、伝送処理装置ａ１１が障害、故障と判定した場合、伝送処理装置ｂ１２から通知された切替え対象回線と現在の現用回線３とが同じであることを確認して、スイッチ部１３に回線スイッチ切替え信号を送信する（図２のＳ８）。また、ＡＰＳ制御装置１４は、伝送処理装置ａ１１に装置状態確認信号を送信すると、装置状態確認応答を待つが、一定期間、装置状態確認応答が無かった場合、応答タイムアウトとして伝送処理装置ａ１１を故障と判断し（図２のＳ６）、スイッチ部１３に回線スイッチ切替え信号を送信する（図２のＳ８）。
【００４２】
回線スイッチ切替え信号を受信したスイッチ部１３は、予備回線用の伝送処理装置ｂ１２から伝送信号を受信するようスイッチを切替え（図２のＳ９）、伝送処理装置ｂ１２に回線スイッチ切替え完了信号を送信する（図２のＳ１０）。
【００４３】
回線スイッチ切替え完了信号を受信した伝送処理装置ｂ１２は、現用回線３から予備回線４に回線切替えが完了したことを示すＡＰＳバイトを伝送処理装置２に送信する（図２のＳ１１）。
【００４４】
このように、本実施の形態では、伝送処理システム１の現用回線用の伝送処理装置ａ１１が障害または故障によりスイッチ部１３に回線スイッチ切替え信号を送信することができない場合、装置状態確認応答により障害・故障をＡＰＳ制御装置１４に通知することで、ＡＳＰ制御装置１４が代わりに回線切替えの制御を行うことによって、伝送処理システム１の回線切替えを行うことができる。
【００４５】
また、本実施の形態では、伝送処理装置ａ１１が伝送処理装置ｂ１２からの回線切替え信号を受信できない場合、または装置状態確認応答を送信できない場合、ＡＰＳ制御装置１４が装置状態確認応答のタイムアウトを検出して伝送処理装置ａ１１の代わりに回線切替えの制御を行うことによって、伝送処理システム１の回線切替えを行うことができる。
【００４６】
図３は本発明の第２の実施の形態による伝送処理システムの構成例を示すブロック図である。図３において、本発明の第２の実施の形態による伝送処理システム５は、図１に示す本発明の第１の実施の形態によるＡＰＳ制御装置１４を、ＡＰＳ制御装置ａ５４とＡＰＳ制御装置ｂ５５との２重化構成に置き換えた以外は、本発明の第１の実施の形態による伝送処理システム１と同様の構成となっており、同一構成要素には同一符号を付してある。
【００４７】
図３において、伝送処理システム５は、伝送処理装置ａ５１と、伝送処理装置ｂ５２と、スイッチ部５３と、ＡＰＳ制御装置ａ５４と、ＡＳＰ制御装置ｂ５５とから構成されている。また、伝送処理装置２は、伝送回路ａ２１と、伝送回路ｂ２２と、スイッチ部２３とから構成されている。
【００４８】
伝送処理システム５の伝送処理装置ａ５１は、ＳＯＮＥＴ／ＳＤＨ網の伝送処理装置２と現用回線３とを使用して伝送信号を送受信している。現用回線３で回線障害を検出した伝送処理装置２は、伝送回路ｂ２２から予備回線４を経由してＳＯＮＥＴ／ＳＤＨフレームのＡＰＳバイト（Ｋ１バイト、Ｋ２バイト）を用いて回線切替え信号を送信する。
【００４９】
ＡＰＳバイトを受信した伝送処理システム５の伝送処理装置ｂ５２は、ＡＰＳバイトを解析して、伝送処理装置ａ５１と現用系のＡＰＳ制御装置ａ５４とに回線切替え信号を送信する。
【００５０】
回線切替え信号を受信したＡＰＳ制御装置ａ５４は、伝送処理装置ａ５１に装置状態確認信号を送信する。装置状態確認信号を受信した伝送処理装置ａ５１は、自装置の状態を確認して、装置障害または装置故障がある場合、障害または故障を装置状態応答信号でＡＰＳ制御装置ａ５４に通知する。
【００５１】
装置状態応答信号で伝送処理装置ａ５１が故障していることを確認したＡＰＳ制御装置ａ５４は、伝送処理装置ａ５１に代わって伝送処理装置ｂ５２から通知された切替え対象回線と現在の現用回線３とが同じであることを確認し、スイッチ部５３に回線スイッチ切替え信号を送信する。
【００５２】
回線スイッチ切替え信号を受信したスイッチ部５３は、予備回線用の伝送処理装置ｂ５２から伝送信号を受信するようスイッチを切替え、伝送処理装置ｂ５２に回線スイッチ切替え完了信号を送信する。伝送処理装置ｂ５２は、回線切替えが完了した現用回線３を示すＡＰＳバイトを伝送処理装置２の伝送回路ｂ２２に送信する。
【００５３】
図４及び図５は本発明の第２の実施の形態による伝送処理システム５の動作を示すシーケンスチャートである。これら図３〜図５を参照して本発明の第２の実施の形態による伝送処理システム５の動作について説明する。
【００５４】
まず、図４においては、伝送処理システム５が起動した場合、ＡＰＳ制御装置ａ５４が予備系、ＡＰＳ制御装置ｂ５５が現用系として設定されている。この状態において、予備系のＡＰＳ制御装置ａ５４から一定周期でＡＳＰ制御装置ｂ５５に状態確認信号を送信している（図４のＳ２０）。
【００５５】
状態確認信号を受信したＡＰＳ制御装置ｂ５５は、ＡＰＳ制御装置ａ５４に状態確認応答を送信するが（図４のＳ２１）、ＡＰＳ制御装置ｂ５５の障害・故障により一定期間、状態確認応答が無かった場合、応答タイムアウトと判断する（図４のＳ２２）。
【００５６】
一定期間内にＡＰＳ制御装置ｂ５５からの状態確認応答を受信した場合、ＡＰＳ制御装置ａ５４は、一定周期でＡＳＰ制御装置ｂ５５に状態確認信号の送信を繰り返す。
【００５７】
状態確認通知の応答タイムアウトを検出したＡＰＳ制御装置ａ５４は、ＡＰＳ制御装置ｂ５５を故障と判断し、伝送処理装置ａ５１と伝送処理装置ｂ５２とにＡＰＳ制御を行う現用系切替え通知を送信する（図４のＳ２３，Ｓ２４）。現用系切替え通知を受信した伝送処理装置ａ５１及び伝送処理装置ｂ５２は、現用系切替え応答をＡＳＰ制御装置ａ５４に送信する（が４のＳ２５，Ｓ２６）。これによって、本実施の形態では、ＡＰＳ制御を実施する現用系装置の切替えを実施する。
【００５８】
図５において、ＡＰＳ制御装置ａ５４が現用系に切替わった後、伝送処理装置ｂ５２は、予備回線４を経由してＳＯＮＥＴ／ＳＤＨフレームのＡＰＳバイト（Ｋ１バイト、Ｋ２バイト）を受信すると、回線切替え要求を示す回線切替え信号を受信したかの判定を行う（図５のＳ３１）。伝送処理装置ｂ５２は、判定の結果、回線切替え要求を検出した場合、伝送処理装置ａ５１とＡＰＳ制御装置ａ５４とに回線切替え信号を送信する（図５のＳ３２）。
【００５９】
回線切替え信号を受信したＡＰＳ制御装置ａ５４は、ＡＰＳ制御を開始して（図５のＳ３３）、伝送処理装置ａ５１に装置状態確認信号を送信する（図５のＳ３４）。装置状態確認信号を受信した伝送処理装置ａ５１は、自装置状態を確認して、障害または故障がある場合、障害・故障を装置状態応答信号でＡＰＳ制御装置ａ５４に通知し、自装置状態が正常である場合、正常を装置状態応答信号でＡＰＳ制御装置ａ５４に通知する（図５のＳ３５）。
【００６０】
装置状態応答信号を受信したＡＰＳ制御装置ａ５４は、伝送処理装置ａ５１が障害、故障しているかの判定を行う（図５のＳ３６）。ＡＰＳ制御装置ａ５４は、伝送処理装置ａ５１が正常と判定した場合、ＡＰＳ制御による回線切替えを停止する（図５のＳ３７）。
【００６１】
ＡＰＳ制御装置ａ５４は、伝送処理装置ａ５１が障害、故障と判定した場合、伝送処理装置ｂ５２から通知された切替え対象回線と現在の現用回線３とが同じであることを確認してスイッチ部５３に回線スイッチ切替え信号を送信する（図４のＳ３８）。
【００６２】
また、ＡＰＳ制御装置ａ５４は、伝送処理装置ａ５１に装置状態確認信号を送信すると、装置状態確認応答を待つが、一定期間、装置状態確認応答が無かった場合、応答タイムアウトとして伝送処理装置ａ５１を故障と判断し（図５のＳ３６）、スイッチ部５３に回線スイッチ切替え信号を送信する（図５のＳ３８）。
【００６３】
回線スイッチ切替え信号を受信したスイッチ部５３は、予備回線用の伝送処理装置ｂ５２から伝送信号を受信するようスイッチを切替え（図５のＳ３９）、伝送処理装置ｂ５２に回線スイッチ切替え完了信号を送信する（図５のＳ４０）。回線スイッチ切替え完了信号を受信した伝送処理装置ｂ５２は、現用回線３から予備回線４に回線切替えが完了したことを示すＡＰＳバイトを伝送処理装置２に送信する（図５のＳ４１）。
【００６４】
本実施の形態では、伝送処理システム５のスイッチ部５３を、図３に示すように、１重化構成としたが、１重化構成に限定する必要性はなく、スイッチ部５３が故障する可能性も考慮して、スイッチ部を２重化構成として用いても良い。
【００６５】
（付記１）ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）インタフェースを持つ現用回線用及び予備回線用の伝送処理装置を含み、対向装置において現用回線で回線障害を検出した場合に予備回線用の伝送処理装置から現用回線用の伝送処理装置に回線切替え信号をＡＰＳ（Ａｕｔｏｍａｔｉｃ  Ｐｒｏｔｅｃｔｉｏｎ  Ｓｗｉｔｃｈｉｎｇ）バイトで通知する伝送処理システムに用いる回線切替え方法であって、
前記伝送処理システムに、前記現用回線用の伝送処理装置が障害または故障の場合に当該現用回線用の伝送処理装置に代わってＡＰＳ機能による回線切替えを行うＡＰＳ制御装置を配設し、
前記ＡＰＳ制御装置が、前記現用回線用の伝送処理装置が障害または故障で前記予備回線用の伝送処理装置に応答を返すことができない場合、または前記現用回線用の伝送処理装置が回線切替えを処理できない場合に前記ＡＰＳ機能による回線切替えを行うことを特徴とする回線切替え方法。
【００６６】
（付記２）前記ＡＰＳ制御装置が、前記予備回線用の伝送処理装置からの回線切替え信号を受信した場合に前記現用回線用の伝送処理装置に装置状態確認信号を送信して当該現用回線用の伝送処理装置における障害または故障の有無を確認することを特徴とする付記１に記載の回線切替え方法。
【００６７】
（付記３）前記現用回線用の伝送処理装置は、前記障害または故障によりスイッチ部に回線スイッチ切替え信号を送信することができない場合、前記装置状態確認信号に対する応答信号により前記障害または故障を前記ＡＰＳ制御装置に通知することを特徴とする付記２に記載の回線切替え方法。
【００６８】
（付記４）前記ＡＰＳ制御装置は、前記装置状態確認信号に対する応答信号のタイムアウトを検出した場合に前記現用回線用の伝送処理装置に前記障害または故障があると判断して前記ＡＰＳ機能による回線切替えを行うことを特徴とする付記２に記載の回線切替え方法。
【００６９】
（付記５）前記ＡＰＳ制御装置を現用系及び予備系の二重化構成としたことを特徴とする付記１から付記４のいずれかに記載の回線切替え方法。
【産業上の利用可能性】
【００７０】
本発明は、ＳＯＮＥＴ／ＳＤＨを回線インタフェースとして有し、ＡＰＳバイトにより回線切替えを行うシグナリング信号の中継システム及び中継装置に適用可能である。
【００７１】
また、本発明は、ＳＯＮＥＴ／ＳＤＨを回線インタフェースとして有し、ＡＰＳバイトにより回線切替えを行うシグナリング信号の終端装置システム及び終端装置に適用可能である。
【００７２】
さらに、本発明は、ＳＯＮＥＴ／ＳＤＨを回線インタフェースとして有し、ＡＰＳバイトにより回線切替えを行うメディア（音声、映像）信号の中継システム及び中継装置に適用可能である。
【００７３】
本発明は、ＳＯＮＥＴ／ＳＤＨを回線インタフェースとして有し、ＡＰＳバイトにより回線切替えを行うメディア（音声、映像）信号の終端システム及び終端装置に適用可能である。
【符号の説明】
【００７４】
１，５  伝送処理システム
２  伝送処理装置
３  現用回線
４  予備回線
１１，５１  伝送処理装置ａ
１２，５２  伝送処理装置ｂ
１３，２３，５３  スイッチ部
１４  ＡＰＳ制御装置
２１  伝送回路ａ
２２  伝送回路ｂ
５４  ＡＰＳ制御装置ａ
５５  ＡＳＰ制御装置ｂ
【図１】
0005446911.tif 000002
【図２】
0005446911.tif 000003
【図３】
0005446911.tif 000004
【図４】
0005446911.tif 000005
【図５】
0005446911.tif 000006
【図６】
0005446911.tif 000007